(57)【要約】【課題】  不特定多数の人が病室に入室することを防ぎつつ、見舞い客に対しては病室へ入室する際の手指の消毒を行わせ、医療従事者に対しては病室へ入室する際の手指の消毒を省略させて、病室へ入室させるようにする。【解決手段】  入室を許可する医療従事者の医療従事者用識別情報とその他の人の汎用識別情報とを病室識別情報に関連付けて記憶部８に記憶しておく。そして、病室の電子錠３を解錠するためにＩＤカード１ａ、１ｂを読取部４に読み取らせた場合に、その識別情報が医療従事者用識別情報であれば、制御部２は電子錠３を解錠するようにしている。一方、読み取った識別情報が汎用識別情報であれば、手指の消毒を促す案内をアナウンス部７により行い、吐出操作部６が操作されたときに、制御部２は電子錠３を解錠するようにしている。【選択図】  図１
2010079763.tif 000002
【特許請求の範囲】
【請求項１】
病室への入室が許可された医療従事者によって使用され、その医療従事者を識別するための医療従事者用識別情報を読み取り可能に記憶する医療従事者用記憶装置と、
前記医療従事者以外の病室への入室が許可された人によって使用され、その人を識別するための汎用識別情報を読み取り可能に記憶する汎用記憶装置と、
病室のドアに設置され、前記ドアを施錠／解錠する電子錠と、
病室のドアの近傍に設置され、読み取り可能な状態になった前記医療従事者用記憶装置から医療従事者用識別情報を読み取るとともに、読み取り可能な状態になった前記汎用記憶装置から汎用識別情報を読み取る読取部と、
手指を消毒するための消毒液を吐出可能に貯蔵する消毒液貯蔵部と、
病室のドアの近傍に設置され、前記消毒液貯蔵部から消毒液を吐出させる吐出操作部と、
病室のドアの近傍に設置され、手指を消毒させるための案内を行うアナウンス部と、
前記医療従事者用識別情報と前記汎用識別情報とを、入室を許可する病室を識別する病室識別情報に関連付けて記憶する記憶部と、
前記読取部が医療従事者用識別情報または汎用識別情報を読み取ったか否かを判定する読み取り判定部と、
前記読取部が医療従事者用識別情報または汎用識別情報を読み取ったと前記識別情報判定部にて判断した場合に、読み取った識別情報が前記読取部を設置した病室の病室識別情報に関連付けて前記記憶部に記憶されているか否かを判定する入室許可判定部と、
前記医療従事者用識別情報または前記汎用識別情報が前記病室識別情報に関連付けて前記記憶部に記憶されていると前記入室許可判定部にて判断した場合に、前記読取部が読み取った前記識別情報が医療従事者用識別情報であるか汎用識別情報であるかを判定する識別情報判定部と、
前記識別情報が医療従事者用識別情報であると前記識別情報判定部が判断した場合に、前記電子錠を解錠するとともに、前記識別情報が汎用識別情報であると前記識別情報判定部が判断した場合に、前記アナウンス部を動作させ、前記吐出操作部が操作されたときに前記電子錠を解錠する制御部と、
を備えた解錠システム。
【発明の詳細な説明】
【技術分野】
【０００１】
本発明は、病院などの病室のドアの鍵を開けるための解錠システムに関し、特に見舞い客による院内感染を防止するための解錠システムに関する。
【背景技術】
【０００２】
従来、病院の病室には、その病室の患者、医者や看護師などの医療従事者以外にも、他の病室の患者や見舞い客などの不特定多数の人が入室することがあった。不特定多数の人が病室に入室することで、入室者を媒介とした院内感染が発生することがあった。
【０００３】
このように、不特定多数の人が病室に入室することによる院内感染を防止するために、特定の人に持たせたＩＤ（Identification）カードを病室に入る際に読み込ませて、そのＩＤカードが入室を許可されたものである場合に、病室のドアに設置された電子錠を解錠するようにした技術が知られている（例えば、特許文献１など）。
【特許文献１】特開２００６−５３６７５号公報
【０００４】
ところで、特許文献１に記載された技術では、医療従事者だけではなく、見舞い客などにもＩＤカードを持たせる必要がある。その場合、入室が許可されたＩＤカードを持つ医療従事者や見舞い客を媒介として院内感染が発生することがある。このような院内感染を防止するための技術として、消毒液槽に挿入された手のバイオメトリック情報を読み取り、個人認証と手の消毒とを同時に行う技術が知られている（例えば、特許文献２など）。
【特許文献２】特開２００７−１８５４２４号公報
【０００５】
しかしながら、特許文献１に記載された技術では、ＩＤカードを渡された見舞い客などは、ＩＤカードを読み込ませるだけで電子錠を解錠して病室に入室することができるため、手指の消毒を忘れてしまう可能性が高くなってしまうという問題があった。また、特許文献２に記載された技術では、最初に病院に訪れた見舞い客などについては、バイオメトリック情報を登録しなければならないため、ＩＤカードを渡す特許文献１に記載の技術と比べて、手続きが非常に面倒になってしまうという問題があった。一方で、医療従事者が居るナースセンターに消毒設備があるような場合には、医療従事者が病室に入室する際に、既に消毒を終えているケースもあり、手指の消毒を重複して行わなければならず、医療従事者の効率が悪くなってしまうという問題があった。
【発明の開示】
【発明が解決しようとする課題】
【０００６】
本発明は、このような問題を解決するために成されたものであり、不特定多数の人が病室に入室することを防ぎつつ、見舞い客に対しては病室へ入室する際の手指の消毒を行わせ、医療従事者に対しては病室へ入室する際の手指の消毒を省略させて、病室へ入室させるようにすることを目的とする。
【課題を解決するための手段】
【０００７】
上述した課題を解決するために、本発明では、入室を許可する識別情報として、医療従事者用の医療従事者用識別情報とその他の人用の汎用識別情報とを病室毎に設定しておく。医療従事者用識別情報を読み取り可能に記憶した記憶装置が医療従事者に渡され、汎用識別情報を読み取り可能に記憶した記憶装置がその他の人に渡される。病室の電子錠を解錠するために記憶装置の識別情報を読み取らせた場合に、その識別情報が医療従事者用識別情報であれば、電子錠を解錠するようにしている。一方、識別情報が汎用識別情報であれば、手指の消毒を促す案内を行い、消毒液を吐出するための操作が行われたときに電子錠を解錠するようにしている。
【発明の効果】
【０００８】
上記のように構成した本発明によれば、病室への入室を許可された識別情報を読み取らせない限り、病室の電子錠が解錠されないので、不特定多数の人の病室への入室を制限することができる。また、医療従事者に対しては、識別情報を読み取らせるだけで電子錠が解錠されるので、病室へ入室する際の手指の消毒を省略することができ、医療従事者の効率を向上させることができる。また、見舞い客などに対しては、識別情報を読み取らせると手指の消毒を促す案内が行われ、消毒液が吐出された場合にのみ電子錠が解錠されるので、見舞い客などに病室へ入室する際の手指の消毒を行わせることができる。
【発明を実施するための最良の形態】
【０００９】
以下、本発明の一実施形態を図面に基づいて説明する。図１は、本実施形態による解錠システムの構成例を示すブロック図である。図１に示すように、本実施形態による解錠システムは、医療従事者用のＩＤカード（特許請求の範囲の医療従事者用記憶装置に該当する）１ａ、汎用のＩＤカード（特許請求の範囲の汎用記憶装置に該当する）１ｂ、制御部２、電子錠３、読取部４、消毒液貯蔵部５、吐出操作部６、アナウンス部７、記憶部８、読み取り判定部９、入室許可判定部１０、識別情報判定部１１を備えて構成されている。
【００１０】
医療従事者用のＩＤカード１ａは、病室への入室が許可された医療従事者によって使用される。また、医療従事者用のＩＤカード１ａは、使用される医療従事者を識別するための医療従事者用識別情報を記憶している。ここで、医療従事者用識別情報は、後述する読取部４により読み取り可能に医療従事者用のＩＤカード１ａに記憶されている。また、医療従事者は、常に同一のＩＤカード１ａを携行している。
【００１１】
汎用のＩＤカード１ｂは、医療従事者以外の人によって使用されるものであり、かつ、病室への入室が許可された人によって使用される。また、汎用のＩＤカード１ａは、使用される人を識別するための汎用識別情報を記憶している。ここで、汎用識別情報は、後述する読取部４により読み取り可能に汎用のＩＤカード１ｂに記憶されている。また、医療従事者以外の人とは、患者や見舞い客を示す。患者は、入院時に汎用のＩＤカード１ｂを受け取り、退院時に返却する。また、見舞い客は、見舞いの受け付け時に汎用のＩＤカード１ｂを受け取り、帰宅時に返却する。
【００１２】
なお、本実施形態では、医療従事者用識別情報や汎用識別情報を記憶する記憶装置として、ＩＤカードを用いているが、これに限定されない。例えば、識別情報としてバーコードが記載されたタグや識別情報を送信可能な無線端末など、識別情報を記憶（または記録）可能な装置であればどのような装置であっても良い。
【００１３】
制御部２は、本実施形態による解錠システム（ＩＤカード１ａ、１ｂを除く）の各構成要素を制御する。電子錠３は、病室のドアに設置されており、病室のドアを施錠または解錠するためのものである。ここで、電子錠３の構成は周知の技術が用いられるため説明を省略する。読取部４は、ＩＤカード１ａ、１ｂに記憶された識別情報を読み取るためのものであり、ＩＤカード１ａ、１ｂが読取部４の一定範囲内に近づいたときに識別情報を読み取る。ここで、読取部４は、病室のドアの近傍に設置されており、読み取った識別情報を制御部２に出力する。
【００１４】
消毒液貯蔵部５は、消毒液を貯蔵したタンクなどにより構成されている。消毒液は、タンクに設けた開口部から病室のドアの近傍に設けた吐出口へ導かれて外部に吐出される。また、消毒液貯蔵部５は、開口部や吐出口付近に設けられた可動弁などにより消毒液の外部への吐出を制御する。ここで、吐出口は病室のドアの近傍に設置されている。また、吐出口は、人が手指を消毒し易い高さに設置されている。
【００１５】
吐出操作部６は、消毒液貯蔵部５から消毒液を外部に吐出させるために操作されるものであり、押ボタンなどにより構成される。吐出操作部６を操作すると、消毒液貯蔵部５の可動弁が一定時間開放され、一定量の消毒液が吐出口から吐出される。ここで、吐出操作部６は、病室のドアの近傍に設置されている。また、吐出操作部６は、吐出操作部６を操作した人が吐出口から吐出される消毒液を用いて手指を消毒し易くするために、吐出口の近傍に設置されている。
【００１６】
アナウンス部７は、スピーカなどの放音装置により構成されており、病室のドアの近傍に設置されている。なお、本実施形態によるアナウンス部７はスピーカにより構成されているが、表示ディスプレイや警告灯などにより構成されても良いし、これらを組み合わせて構成されても良い。また、アナウンス部７は、後述する記憶部８に記憶されている音声を出力する。
【００１７】
記憶部８は、医療従事者用識別情報と汎用識別情報とを記憶している。また、記憶部８は、各病室を識別するための病室識別情報を記憶している。ここで、記憶部８は、医療従事者用識別情報と汎用識別情報とに対して、入室を許可する病室の病室識別情報を関連付けて記憶している。例えば、全ての病室への入室が許可されている医療従事者については、その医療従事者に渡す医療従事者用のＩＤカード１ａの医療従事者用識別情報を全ての病室識別情報に関連付けて記憶部８は記憶している。また、自身の病室への入室のみが許可されている入院患者については、その患者に渡す汎用のＩＤカード１ｂの汎用識別情報を、その患者の病室の病室識別情報に関連付けて記憶部８に記憶している。また、見舞い先の病室への入室のみが許可されている見舞い客については、見舞い客に渡す汎用のＩＤカード１ｂの汎用識別情報を、見舞い先の患者の病室の病室識別情報に関連付けて記憶部８に記憶している。
【００１８】
また、記憶部８は、アナウンス部７から出力される音声の音声データを記憶している。例えば、見舞い客に手指の消毒を促すための「ボタンを押して手指の消毒を行ってください」といった音声や、病室への入室を許可しない「この病室への入室は禁止されています」といった音声を記憶している。なお、汎用識別情報と病室識別情報とを予め関連付けて記憶部８に記憶しておき、患者や見舞い客などにＩＤカード１ｂを渡すときに、既に病室識別情報に関連付けて記憶されている汎用識別情報を持つＩＤカード１ｂを選択するようにすれば、関連付けの作業をいちいち行わなくて済む。
【００１９】
読み取り判定部９は、読取部４が医療従事者用識別情報または汎用識別情報を読み取ったか否かを判定する。換言すると、医療従事者用のＩＤカード１ａや汎用のＩＤカード１ｂが読取部４に翳されたか否かを判定する。制御部２が読取部４から識別情報を入力すると、読み取り判定部９は読取部４が識別情報を読み取ったと判断する。
【００２０】
入室許可判定部１０は、読み取り判定部９が識別情報を読み取ったと判断した場合に、読取部４が読み取った識別情報が読取部４の設置された病室の病室識別情報に関連付けて記憶されているか否かを判定する。読取部４が識別情報を読み取ったと読み取り判定部９にて判断した場合に、制御部２は入室許可判定部１０を動作させる。入室許可判定部１０は、読取部４が設置された病室の病室識別情報を記憶部８から読み出すとともに、読み出した病室識別情報に関連付けて記憶されている医療従事者用識別情報および／または汎用識別情報を記憶部８から読み出す。そして、制御部２が読取部４から入力した識別情報（医療従事者用識別情報または汎用識別情報）が読み出した識別情報（医療従事者用識別情報および／または汎用識別情報）に含まれるか否か（換言すると、入力した識別情報と一致する識別情報が存在するか否か）を判定する。読取部４が読み取った識別情報が病室識別情報に関連付けて記憶されていない場合には、入室許可判定部１０は、入室不許可の結果を得る。一方、読取部４が読み取った識別情報が病室識別情報に関連付けて記憶されている場合には、入室許可判定部１０は、入室許可の結果を得る。
【００２１】
ここで、入室許可判定部１０が入室不許可の結果を得た場合、制御部２は、記憶部８から音声データを取得し、アナウンス部７により「この病室への入室は禁止されています」という音声を出力させる。一方、入室許可判定部１０が入室許可の結果を得た場合、制御部２は、識別情報判定部１１を動作させる。
【００２２】
識別情報判定部１１は、読取部４が読み取った識別情報が医療従事者用識別情報であるか汎用識別情報であるかを判定する。そして、読取部４が読み取った識別情報が医療従事者用識別情報であると識別情報判定部１１にて判断した場合には、制御部２は電子錠３を解錠する。
【００２３】
一方、読取部４が読み取った識別情報が汎用識別情報であると識別情報判定部１１にて判断した場合には、制御部２は、記憶部８から音声データを取得し、アナウンス部７により「ボタンを押して手指の消毒を行ってください」という音声を出力させる。この状態で、所定時間以内に吐出操作部６が操作されると、制御部２は電子錠３を開錠する。一方、所定時間以内に吐出操作部６が操作されないと、制御部２は処理を終了する。ここで、所定時間は、図示しないタイマーにより計測される。
【００２４】
次に、本実施形態による解錠システムの動作および解錠方法を説明する。図２は、本実施形態による解錠システムの動作および解錠方法を示すフローチャートである。まず、読取部４が識別情報を読み取ったか否かを読み取り判定部９にて判定する（ステップＳ１）。読取部４が識別情報を読み取っていないと読み取り判定部９にて判断した場合には（ステップＳ１にてＮＯ）、ステップＳ１の処理を繰り返す。
【００２５】
一方、読取部４が識別情報を読み取ったと読み取り判定部９にて判断した場合には（ステップＳ１にてＹＥＳ）、読み取った識別情報が読取部４の設置された病室の病室識別情報に関連付けて記憶部８に記憶されているか否かを入室許可判定部１０にて判定する（ステップＳ２）。読み取った識別情報が読取部４の設置された病室の病室識別情報に関連付けて記憶部８に記憶されていないと入室許可判定部１０にて判断した場合には（ステップＳ２にてＮＯ）、ステップＳ１の処理に戻る。なお、前述したように、病室への入室が禁止されている旨をアナウンス部７により案内しても良いが、必須ではないため説明を省略する。
【００２６】
一方、読み取った識別情報が読取部４の設置された病室の病室識別情報に関連付けて記憶部８に記憶されていると入室許可判定部１０にて判断した場合には（ステップＳ２にてＹＥＳ）、読み取った識別情報が医療従事者用識別情報であるか否かを識別情報判定部１１にて判定する（ステップＳ３）。読み取った識別情報が医療従事者用識別情報であると識別情報判定部１１にて判断した場合には（ステップＳ３にてＹＥＳ）、ステップＳ７の処理に移行する。
【００２７】
一方、読み取った識別情報が医療従事者用識別情報ではないと識別情報判定部１１にて判断した場合には（ステップＳ３にてＮＯ）、制御部２は記憶部８から音声データを取得してアナウンス部７により手指の消毒を促す案内を行う（ステップＳ４）。そして、吐出操作部６が操作されて、消毒液の吐出の操作が行われたか否かを制御部２にて調べる（ステップＳ５）。消毒液の吐出の操作が行われたと制御部２にて判断した場合には（ステップＳ５にてＹＥＳ）、ステップＳ７の処理に移行する。
【００２８】
一方、消毒液の吐出の操作が行われていないと制御部２にて判断した場合には（ステップＳ５にてＮＯ）、所定時間が経過したか否かを制御部２にて調べる（ステップＳ６）。所定時間が経過したと制御部２にて判断した場合には（ステップＳ６にてＮＯ）、処理を終了する。また、所定時間が経過していないと制御部２にて判断した場合には（ステップＳ６にてＹＥＳ）、ステップＳ５の処理に戻る。
【００２９】
ステップＳ７では、制御部２が電子錠３を解錠する。電子錠３が解錠されると、医療従事者用のＩＤカード１ａを読取部４に翳した医療従事者、汎用のＩＤカード１ｂを読取部４に翳した患者や見舞い客は、病室への入室が可能となる。
【００３０】
以上詳しく説明したように、本実施形態によれば、入室を許可する識別情報として、医療従事者用の医療従事者用識別情報とその他の人（患者や見舞い客など）用の汎用識別情報とを病室識別情報に関連付けて記憶部８に記憶しておく。そして、医療従事者用識別情報を読み取り可能に記憶したＩＤカード１ａが医療従事者に渡され、汎用識別情報を読み取り可能に記憶したＩＤカード１ｂがその他の人に渡される。病室の電子錠３を解錠するためにＩＤカード１ａやＩＤカード１ｂを読取部４に読み取らせた場合に、その識別情報が医療従事者用識別情報であれば、制御部２は電子錠３を解錠するようにしている。一方、読取部４が読み取った識別情報が汎用識別情報であれば、手指の消毒を促す案内をアナウンス部７により行い、吐出操作部６が操作されたときに、制御部２は電子錠３を解錠するようにしている。
【００３１】
これにより、病室への入室を許可された識別情報を読み取らせない限り、病室の電子錠３が解錠されないので、不特定多数の人の病室への入室を制限することができる。また、医療従事者に対しては、識別情報を読み取らせるだけで電子錠３が解錠されるので、病室へ入室する際の手指の消毒を省略することができ、医療従事者の効率を向上させることができる。また、見舞い客などに対しては、識別情報を読み取らせると手指の消毒を促す案内が行われ、消毒液が吐出された場合にのみ電子錠３が解錠されるので、見舞い客などに病室へ入室する際の手指の消毒を行わせることができる。
【００３２】
なお、前述した実施形態では、入室時にのみ電子錠３の解錠を行わせるようにしているが、これに限定されない。例えば、退室時にのみ電子錠３の解錠を行わせるようにしても良いし、入室時と退室時との両方で電子錠３の解錠を行わせるようにしても良い。
【００３３】
また、前述した実施形態では、制御部２、記憶部８、読み取り判定部９、入室許可判定部１０、識別情報判定部１１の設置場所を名言していないが、これらの構成要素は、病室の近傍に設置されていても良いし、各病室を管理する管理室やナースセンターなどに設置されていても良い。
【００３４】
また、前述した実施形態では、手指を消毒するための手段として消毒液を用いているが、これに限定されない。例えば、気体や固体であっても構わない。
【００３５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３６】
【図１】本実施形態による解錠システムの構成例を示すブロック部である。
【図２】本実施形態による解錠システムの動作および解錠方法を示すフローチャートである。
【符号の説明】
【００３７】
１ａ    ＩＤカード（医療従事者用）
１ｂ    ＩＤカード（汎用）
２    制御部
３    電子錠
４    読取部
５    消毒液貯蔵部
６    吐出操作部
７    アナウンス部
８    記憶部
９    読み取り判定部
１０    入室許可判定部
１１    識別情報判定部
【図１】
2010079763.tif 000003
【図２】
2010079763.tif 000004